(57)【要約】【課題】通行券の取り忘れ対策に優れた車両監視方法を提供すること。【解決手段】車両監視方法は、通行券の取得のために進入する車両を撮影し、通行券を発行し、前記発行された前記通行券の取り忘れを検知し、前記通行券取り忘れ検知のタイミングに基づき、前記撮影により得られた記録映像中の通行券取り忘れ車両の存在位置を予測し、前記記録映像に対して通行券取り忘れ車両の存在を示す情報を記録し、前記記録された通行券取り忘れ車両の存在を示す情報に基づき、記録映像に含まれた通行券取り忘れ車両の映像を抽出する。【選択図】図２
2008243085.tif 000002
【特許請求の範囲】
【請求項１】
通行券を発行する発行手段と、
前記通行券の取得のために進入する車両を撮影する撮影手段と、
前記発行手段により発行された前記通行券の取り忘れを検知する検知手段と、
前記検知手段による通行券取り忘れ検知のタイミングに基づき、前記撮影手段の撮影により得られた記録映像中の通行券取り忘れ車両の存在位置を予測し、前記記録映像に対して通行券取り忘れ車両の存在位置を示す情報を記録する記録手段と、
前記記録手段により記録された通行券取り忘れ車両の存在を示す情報に基づき、前記記録映像の中から通行券取り忘れ車両の映像を抽出する抽出手段と、
を備えたことを特徴とする車両監視システム。
【請求項２】
入場口に設けられる入場口車両監視装置、及び出場口に設けられる出場口車両監視装置を備えた車両監視システムであって、
前記入場口車両監視装置は、
通行券を発行する発行手段と、
前記通行券の取得のために進入する車両を撮影する撮影手段と、
前記発行手段により発行された前記通行券の取り忘れを検知する検知手段と、
前記検知手段による通行券取り忘れ検知のタイミングに基づき、前記撮影手段の撮影により得られた記録映像中の通行券取り忘れ車両の存在位置を予測し、前記記録映像に対して通行券取り忘れ車両の存在を示す情報を記録する記録手段と、
前記記録手段により記録された通行券取り忘れ車両の存在を示す情報に基づき、前記記録映像の中から通行券取り忘れ車両の映像を抽出する抽出手段と、
前記出場口車両監視装置からの通行券取り忘れ車両映像の要求に対応して、前記抽出手段により抽出された通行券取り忘れ車両映像を送信する送信手段と、
を備え、
前記出場口車両監視装置は、
前記入場口車両監視装置に対して通行券取り忘れ車両の映像を要求する要求手段と、
前記入場口車両監視装置から送信された通行券取り忘れ車両の映像を受信する受信手段と、
を備えたことを特徴とする車両監視システム。
【請求項３】
前記入場口車両監視装置は、前記撮影手段の撮影により得られた記録映像から車両ナンバー情報を読み取る読取手段を備え、
前記抽出手段は、前記記録映像の中から通行券取り忘れ車両の映像を抽出するとともに、この抽出された通行券取り忘れ車両の映像に対応する車両ナンバー情報を抽出し、抽出された通行券取り忘れ車両の映像及び抽出された車両ナンバー情報を対応付けて管理し、
前記送信手段は、対応付けられた通行券取り忘れ車両の映像及び車両ナンバー情報を送信し、
前記受信手段は、対応付けられた通行券取り忘れ車両の映像及び車両ナンバー情報を受信する、
ことを特徴とする請求項２に記載の車両監視システム。
【請求項４】
前記入場口車両監視装置は、前記撮影手段の撮影により得られた記録映像から、車両ナンバー情報を読み取る読取手段を備え、
前記抽出手段は、前記記録映像の中から複数の通行券取り忘れ車両の映像を抽出するとともに、これら抽出された複数の通行券取り忘れ車両の映像の夫々に対応する複数の車両ナンバー情報を抽出し、抽出された複数の通行券取り忘れ車両の映像及び抽出された複数の車両ナンバー情報を夫々対応付けて時間順に管理し、
前記送信手段は、対応付けられ時間順に管理された複数の通行券取り忘れ車両の映像及び複数の車両ナンバー情報を送信し、
前記受信手段は、対応付けられ時間順に管理された複数の通行券取り忘れ車両の映像及び複数の車両ナンバー情報を受信する、
ことを特徴とする請求項２に記載の車両監視システム。
【請求項５】
前記出場口車両監視装置は、
検索車両ナンバー情報を入力する入力手段と、
前記受信手段により受信された複数の車両ナンバー情報の中から、前記入力手段により入力された検索車両ナンバー情報を検索する検索手段と、
前記検索手段による検索結果を出力する出力手段と、
を備えたことを特徴とする請求項４に記載の車両監視システム。
【請求項６】
前記撮影手段は、
車両の全体像を撮影するための第１のビデオカメラと、
車両のナンバープレートを撮影するための第２のビデオカメラと、
を含み、
前記記録手段は、前記検知手段による通行券取り忘れ検知のタイミングに基づき、前記第１のビデオカメラにより得られた記録映像の中から通行券取り忘れ車両の存在位置を予測し、前記記録映像に対して通行券取り忘れ車両の存在位置を示す情報を記録し、
前記読取手段は、前記第２のビデオカメラにより得られた記録映像から車両ナンバー情報を読み取る、
ことを特徴とする請求項３又は４に記載の車両監視システム。
【請求項７】
入場口に設けられる入場口車両監視装置、及び出場口に設けられる出場口車両監視装置を備えた車両監視システムであって、
前記入場口車両監視装置は、
通行券を発行する発行手段と、
前記通行券の取得のために進入する車両を撮影する撮影手段と、
前記撮影手段の撮影により得られた記録映像から車両ナンバー情報を読み取る読取手段を備え、
前記発行手段により発行された前記通行券の取り忘れを検知する検知手段と、
前記検知手段による通行券取り忘れ検知のタイミングに基づき、前記撮影手段の撮影により得られた記録映像中の通行券取り忘れ車両の存在位置を予測し、前記記録映像に対して通行券取り忘れ車両の存在を示す情報を記録する記録手段と、
前記記録手段により記録された通行券取り忘れ車両の存在を示す情報に基づき、記録映像に含まれた複数の通行券取り忘れ車両の映像を抽出するとともに、これら抽出された複数の通行券取り忘れ車両の映像の夫々に対応する複数の車両ナンバー情報を前記読取手段の読取結果から抽出し、抽出された複数の通行券取り忘れ車両の映像及び抽出された複数の車両ナンバー情報を夫々対応付けて管理する管理手段と、
前記出場口車両監視装置から送信される検索車両ナンバー情報を受信する第１の受信手段と、
前記管理手段により管理された複数の車両ナンバー情報の中から、前記第１の受信手段により受信した検索車両ナンバー情報を検索する検索手段と、
前記出場口車両監視装置に対して、前記検索手段による検索結果を送信する第１の送信手段と、
を備え、
前記出場口車両監視装置は、
検索車両ナンバー情報を入力する入力手段と、
前記入場口車両監視装置に対して、前記入力手段により入力された検索車両ナンバー情報を送信する第２の送信手段と、
前記入場口車両監視装置から送信される前記検索結果を受信する第２の受信手段と、
前記第２の受信手段により受信された前記検索結果を出力する出力手段と、
を備えたことを特徴とする車両監視システム。
【請求項８】
通行券の取得のために進入する車両を撮影し、
通行券を発行し、
前記発行された前記通行券の取り忘れを検知し、
前記通行券取り忘れ検知のタイミングに基づき、前記撮影により得られた記録映像中の通行券取り忘れ車両の存在位置を予測し、前記記録映像に対して通行券取り忘れ車両の存在を示す情報を記録し、
前記記録された通行券取り忘れ車両の存在を示す情報に基づき、記録映像に含まれた通行券取り忘れ車両の映像を抽出する、
ことを特徴とする車両監視方法。
【請求項９】
入場口に設けられる入場口車両監視装置は、通行券の取得のために進入する車両を撮影し、通行券を発行し、前記発行された前記通行券の取り忘れを検知し、通行券取り忘れ検知のタイミングに基づき、前記撮影により得られた記録映像中の通行券取り忘れ車両の存在位置を予測し、前記記録映像に対して通行券取り忘れ車両の存在を示す情報を記録し、通行券取り忘れ車両の存在を示す情報に基づき、前記記録映像の中から通行券取り忘れ車両の映像を抽出し、
出場口に設けられる出場口車両監視装置は、前記入場口車両監視装置に対して通行券取り忘れ車両の映像を要求し、
前記入場口車両監視装置は、前記出場口車両監視装置からの通行券取り忘れ車両映像の要求に対応して、前記抽出された通行券取り忘れ車両映像を送信し、
前記出場口車両監視装置は、前記入場口車両監視装置から送信された通行券取り忘れ車両の映像を受信する、
ことを特徴とする車両監視方法。
【請求項１０】
前記入場口車両監視装置は、前記撮影により得られた記録映像から車両ナンバー情報を読み取り、前記抽出された通行券取り忘れ車両の映像に対応する車両ナンバー情報を抽出し、抽出された通行券取り忘れ車両の映像及び抽出された車両ナンバー情報を対応付けて管理し、前記出場口車両監視装置からの通行券取り忘れ車両映像の要求に対応して、対応付けられた通行券取り忘れ車両の映像及び車両ナンバー情報を送信し、
前記出場口車両監視装置は、対応付けられた通行券取り忘れ車両の映像及び車両ナンバー情報を受信する、
ことを特徴とする請求項９に記載の車両監視方法。
【請求項１１】
前記入場口車両監視装置は、前記撮影により得られた記録映像から車両ナンバー情報を読み取り、前記記録映像の中から複数の通行券取り忘れ車両の映像を抽出するとともに、これら抽出された複数の通行券取り忘れ車両の映像の夫々に対応する複数の車両ナンバー情報を抽出し、抽出された複数の通行券取り忘れ車両の映像及び抽出された複数の車両ナンバー情報を夫々対応付けて時間順に管理し、前記出場口車両監視装置からの通行券取り忘れ車両映像の要求に対応して、対応付けられ時間順に管理された複数の通行券取り忘れ車両の映像及び複数の車両ナンバー情報を送信し、
前記出場口車両監視装置は、対応付けられ時間順に管理された複数の通行券取り忘れ車両の映像及び複数の車両ナンバー情報を受信する、
ことを特徴とする請求項９に記載の車両監視方法。
【請求項１２】
前記出場口車両監視装置は、検索車両ナンバー情報を入力し、前記受信された複数の車両ナンバー情報の中から、前記入力された検索車両ナンバー情報を検索し、前記検索結果を出力する、
ことを特徴とする請求項１１に記載の車両監視方法。
【請求項１３】
前記入場口車両監視装置は、第１のビデオカメラの撮影により得られた第１の記録映像中の通行券取り忘れ車両の存在位置を予測し、前記第１の記録映像に対して通行券取り忘れ車両の存在を示す情報を記録し、第２のビデオカメラの撮影により得られた第２の記録映像中の車両のナンバープレートを読み取る、
ことを特徴とする請求項１０又は１１に記載の車両監視方法。
【請求項１４】
入場口に設けられる入場口車両監視装置は、通行券の取得のために進入する車両を撮影し、前記撮影により得られた記録映像から車両ナンバー情報を読み取り、通行券を発行し、前記発行された前記通行券の取り忘れを検知し、通行券取り忘れ検知のタイミングに基づき、前記撮影により得られた記録映像中の通行券取り忘れ車両の存在位置を予測し、前記記録映像に対して通行券取り忘れ車両の存在を示す情報を記録し、通行券取り忘れ車両の存在を示す情報に基づき、前記記録映像の中から複数の通行券取り忘れ車両の映像を抽出するとともに、これら抽出された複数の通行券取り忘れ車両の映像の夫々に対応する複数の車両ナンバー情報を前記読取結果から抽出し、抽出された複数の通行券取り忘れ車両の映像及び抽出された複数の車両ナンバー情報を夫々対応付けて管理し、
出場口に設けられる出場口車両監視装置は、検索車両ナンバー情報を入力し、前記入場口車両監視装置に対して、前記入力された検索車両ナンバー情報を送信し、
前記入場口車両監視装置は、前記出場口車両監視装置から送信される検索車両ナンバー情報を受信し、前記管理された複数の車両ナンバー情報の中から、前記受信した検索車両ナンバー情報を検索し、前記出場口車両監視装置に対して前記検索結果を送信し、
前記出場口車両監視装置は、前記入場口車両監視装置から送信される前記検索結果を受信し、前記受信された前記検索結果を出力する、
ことを特徴とする車両監視方法。
【発明の詳細な説明】
【技術分野】
【０００１】
本発明は、入場口において通行車両に対して通行券を発行し、出場口において通行車両から提示される通行券に基づき通行料金を精算する車両監視システム及び車両監視方法に関する。本発明は、特に、通行券の紛失時の対策に関する。
【背景技術】
【０００２】
特許文献１には、高速道路などの有料道路の料金所に導入される車線監視システムおよび監視方法に関する技術が開示されている。
【０００３】
具体的には、特許文献１には、無線通信を利用して通行料金の決済を行うシステム（Ｅｌｅｃｔｒｏｎｉｃ  Ｔｏｌｌ  Ｃｏｌｌｅｃｔｉｏｎ  Ｓｙｓｔｅｍ  ：ＥＴＣシステム）に関する技術が開示されており、より詳細には、車線監視システムのモニタに通過していく車両の映像に、自動車種判別装置により判別された車両の車種と車線番号とをスーパーインポーズ表示する技術が開示されている。
【０００４】
特許文献２には、高速道路等の有料道路の料金所出口に設けられた料金収受システムを監視するための有料道路の料金収受システム用監視盤に関する技術が開示されている。
【０００５】
具体的には、特許文献２には、料金所出口において撮影された車両とその料金収受状況との映像、および対応する車両の識別番号を表示することによって、料金収受システムから遠隔配置された場所からでもこれら表示情報に基づいて料金計算条件を設定できるようにし、通行券の内容に矛盾がある車両や、規定外料金が適用された車両に対しても料金収受システムによる迅速な通行料金の収受処理を可能とし、料金収受に要する時間の短縮化を図るとともに、収受監視員の負担の低減化を図ることが可能な有料道路の料金収受システム用監視盤に関する技術が開示されている。
【特許文献１】特開２０００−９９８７４
【特許文献２】特開２００３−２０３２５４
【発明の開示】
【発明が解決しようとする課題】
【０００６】
上記のように、車両監視に関する各種技術が開示されているが、入場口で発行された通行券の取り忘れに関する対策は十分ではない。
【０００７】
例えば、有料道路の入口車線では、車線撮影カメラにて入口車線の進入車両の映像を撮影し、入口料金所に設置される車線監視装置は車線撮影カメラからの映像信号をビデオテープにてアナログ記録をおこなう。記録映像の確認はビデオテープを再生しておこなうが、映像を記録しているビデオデッキで再生をおこなうと記録が途切れてしまうため、別の再生用ビデオデッキを用意する必要がある。
【０００８】
有料道路の通行券による料金収受処理において、出口車線にて通行車両から入口での通行券取り忘れを申告された場合、不正防止の観点から申告車両が本当に通行券を取り忘れたのか確認をおこなう必要がある。入口料金所に設置される車線監視装置にて入口車線の監視をおこなっているので出口料金所から入口料金所へ該当車両の照合確認をおこなうが、現状、車線監視映像はアナログ記録であるため、問合せを受けた入口料金所にて記録映像の中から該当部を推定し、映像を再生して該当車両の映像を探し当て確認する、といった人間系で照合確認作業をおこなっているため非常に時間がかかってしまい、利用者に不便を強いるという問題がある。
【０００９】
本発明の目的は、上記課題を解決するためになされたものであり、通行券の取り忘れ対策に優れた車両監視システム及び車両監視方法を提供することにある。
【課題を解決するための手段】
【００１０】
この発明の車両監視システム及び車両監視方法は、以下のように構成されている。
【００１１】
（１）この発明は、入場口に設けられる入場口車両監視装置、及び出場口に設けられる出場口車両監視装置を備えた車両監視システムであって、前記入場口車両監視装置は、通行券を発行する発行手段と、前記通行券の取得のために進入する車両を撮影する撮影手段と、前記発行手段により発行された前記通行券の取り忘れを検知する検知手段と、前記検知手段による通行券取り忘れ検知のタイミングに基づき、前記撮影手段の撮影により得られた記録映像中の通行券取り忘れ車両の存在位置を予測し、前記記録映像に対して通行券取り忘れ車両の存在を示す情報を記録する記録手段と、前記記録手段により記録された通行券取り忘れ車両の存在を示す情報に基づき、前記記録映像の中から通行券取り忘れ車両の映像を抽出する抽出手段と、前記出場口車両監視装置からの通行券取り忘れ車両映像の要求に対応して、前記抽出手段により抽出された通行券取り忘れ車両映像を送信する送信手段とを備え、前記出場口車両監視装置は、前記入場口車両監視装置に対して通行券取り忘れ車両の映像を要求する要求手段と、前記入場口車両監視装置から送信された通行券取り忘れ車両の映像を受信する受信手段とを備える。
【００１２】
（２）この発明の車両監視方法は、入場口に設けられる入場口車両監視装置が、通行券の取得のために進入する車両を撮影し、通行券を発行し、前記発行された前記通行券の取り忘れを検知し、通行券取り忘れ検知のタイミングに基づき、前記撮影により得られた記録映像中の通行券取り忘れ車両の存在位置を予測し、前記記録映像に対して通行券取り忘れ車両の存在を示す情報を記録し、通行券取り忘れ車両の存在を示す情報に基づき、前記記録映像の中から通行券取り忘れ車両の映像を抽出し、出場口に設けられる出場口車両監視装置が、前記入場口車両監視装置に対して通行券取り忘れ車両の映像を要求し、前記入場口車両監視装置が、前記出場口車両監視装置からの通行券取り忘れ車両映像の要求に対応して、前記抽出された通行券取り忘れ車両映像を送信し、前記出場口車両監視装置が、前記入場口車両監視装置から送信された通行券取り忘れ車両の映像を受信する。
【発明の効果】
【００１３】
本発明によれば、通行券の取り忘れ対策に優れた車両監視システム及び車両監視方法を提供できる。
【発明を実施するための最良の形態】
【００１４】
以下、図面を参照し、本発明の実施形態について説明する。
【００１５】
図１は、本実施形態に係る車両監視システムの概略構成を示す図である。図１に示すように、車両監視システムは、入口車線１１に設けられた入口車両監視装置、及び出口車線１２に設けられた出口車両監視装置を備える。
【００１６】
入口車両監視装置は、通行券自動発行機１、車線撮影カメラ２、映像管理部３、映像記録部４（例えばパーソナルコンピュータ）、ＴＣＰ／ＩＰ接続部５、ナンバープレート撮影カメラ９を備える。
【００１７】
映像管理部３は、例えば入口料金所Ａ（同様に入口料金所Ｃ）に設けられる。映像記録部４は、有料道路の入口車線１１において各車線の車線撮影カメラ２から入力される監視映像をデジタルデータにて記録する。また、映像記録部４は、通行券自動発行機１より入力される通行券取り忘れ検出信号をトリガとして記録映像に自動でアラーム記録をおこなう。ＴＣＰ／ＩＰ接続部５は、他機器とＴＣＰ／ＩＰプロトコルにて接続する。
【００１８】
一方の出口車両監視装置は、ＴＣＰ／ＩＰ接続部６、検索装置７、端末装置８（例えばパーソナルコンピュータ）を備える。検索装置７は、例えば出口料金所Ｂ（同様に入口料金所Ｄ）に設けられる。
【００１９】
入口料金所Ａ、Ｃの映像管理部３、出口料金所Ｂ、Ｄの検索装置７は、料金所ネットワークを介して接続される。
【００２０】
通行券による料金収受処理において、出口車線１２にて通行車両から通行券取り忘れの申告があった場合、係員の操作入力に対して、検索装置７あるいは各車線ブースの端末装置８は、入口料金所Ａの映像記録部４に記録されている通行券取り忘れアラームにより該当車両の記録映像の検索をおこなう。検索装置７あるいは各車線ブースの端末装置８は、検索結果を表示する。係員は、検索結果から（該当する記録映像を閲覧し）、申告車両と記録映像の車両との照合確認をおこなう。これにより、照合確認の効率化を図る。
【００２１】
また、映像記録部４は、ナンバープレート撮影カメラ９から取得される車両ナンバー映像を記録する。映像管理部３は、車両ナンバー映像から車両ナンバー情報を読み取り、車両映像と車両ナンバー情報とを紐付けして管理する。
【００２２】
出口料金所の検索装置７あるいは各車線ブースの端末装置８は、係員入力操作に対応して検索車両ナンバー情報を入力し、検索車両ナンバー情報に対応する車両映像を一意的に検索し、検索結果（検索車両ナンバー情報に対応する車両映像）を表示する。係員は、検索結果から（該当する車両映像を閲覧し）、申告車両と記録映像の車両との照合確認をおこなう。これにより、照合確認のさらなる効率化を図る。つまり、係員の照合確認の負担軽減、及び通行券取り忘れユーザに対するサービスの向上を図る。
【００２３】
以下、図２に示すフローチャートを参照して、より詳しく車両監視システムの動作を説明する。図２は、本実施形態に係る車両監視システムによる車両監視の一例を示すフローチャートである。
【００２４】
車線撮影カメラ２は、進入車両および通行券自動発行機１を撮影している（ＳＴ１１）。つまり、車線撮影カメラ２は、進入車両と共に車両の通行券の取得状況を撮影している。有料道路の入口車線に車両が進入すると、通行券自動発行機１は通行券を発行し（ＳＴ１２）、進入車両のユーザは通行券を取得する。
【００２５】
入口料金所Ａ（事務所）には、画像管理装置３が設置されている。画像管理装置３は、車線撮影カメラ２より入力される車線監視映像を記録する映像記録部４、および他機器とＴＣＰ／ＩＰプロトコルにて接続を可能とするＴＣＰ／ＩＰ接続部５を備える。映像記録部４は、車線監視映像をデジタルデータにて記録する。
【００２６】
通行券自動発行機１は、通行券の抜き取り状態を監視する。例えば、通行券自動発行機１は、車両の進入検知信号に基づき通行券を発行し、発行してから所定時間以内に通行券が抜き取られなければ、通行券の取り忘れを検知する（ＳＴ１３）。
【００２７】
或いは、通行券自動発行機１は、車両の進入検知信号に基づき通行券を発行し、この車両の監視映像から車両の立ち去りを検知するとともに通行券が抜き取られていなければ、通行券の取り忘れを検知する（ＳＴ１３）。通行券自動発行機１は、通行券取り忘れ検知信号を映像記録部３へ出力する。
【００２８】
映像記録部４は、通行券取り忘れ検知信号をトリガとして記録映像に自動でアラーム記録をおこなう（ＳＴ１４）。つまり、映像記録部４は、通行券取り忘れ検知のタイミングに基づき、車線撮影カメラ２により得られた記録映像中の通行券取り忘れ車両の存在位置を予測し、記録映像に対して通行券取り忘れ車両の存在位置を示す情報を記録する（ＳＴ１４）。
【００２９】
通行券取り忘れ検知のタイミングでは、既に通行券取り忘れ車両は走り去っていることが予測される。このために、映像記録部４は、通行券取り忘れ検知のタイミングから所定時間遡った記録映像に対して通行券取り忘れ車両の存在位置を示す情報を記録する。
【００３０】
画像管理装置３は、通行券取り忘れ車両の存在を示す情報に基づき、記録映像の中から通行券取り忘れ車両の映像を抽出する（ＳＴ１５）。
【００３１】
一方、出口料金所Ｂ（事務所）には、検索装置７が設置されている。検索装置７は、ＴＣＰ／ＩＰ接続部６を備え、入口料金所Ａの画像管理装置３とＴＣＰ／ＩＰ接続される。出口車線にて通行車両から通行券取り忘れの申告があった場合、係員の検索操作に対応して、検索装置７は、入口料金所の映像記録部４に記録されている通行券取り忘れアラームによる該当車両の記録映像を要求（検索）する（ＳＴ２１）。画像管理装置３は、この要求に対応して、抽出されている通行券取り忘れ車両映像を送信する（ＳＴ１６）。検索装置７は、検索結果を受信し（ＳＴ２２）、検索結果を表示する（ＳＴ２３）。つまり、検索装置７は、送信された通行券取り忘れ車両の映像を受信し（ＳＴ２２）、通行券取り忘れ車両の映像を表示する（ＳＴ２３）。係員は、検索結果から（該当する記録映像を閲覧し）、申告車両と記録映像の車両との照合確認をおこなう。これにより、照合確認のさらなる効率化を図ることができる。即ち、係員の照合確認の負担軽減、及び通行券取り忘れユーザに対するサービスの向上を図ることができる。
【００３２】
また、各々の車線ブースにおいても、端末装置８が、画像管理装置３とＴＣＰ／ＩＰ接続することができる。つまり、係員の検索操作に対応して、端末装置８は、入口料金所の映像記録部４に記録されている通行券取り忘れアラームによる該当車両の記録映像を要求（検索）する（ＳＴ２１）。画像管理装置３は、この要求に対応して、抽出されている通行券取り忘れ車両映像を送信する（ＳＴ１６）。端末装置８は、検索結果を受信し（ＳＴ２２）、検索結果を表示する（ＳＴ２３）。つまり、端末装置８は、送信された通行券取り忘れ車両の映像を受信し（ＳＴ２２）、通行券取り忘れ車両の映像を表示する（ＳＴ２３）。係員は、検索結果から（該当する記録映像を閲覧し）、申告車両と記録映像の車両との照合確認をおこなう。
【００３３】
さらには、各々の入口車線に設置されるナンバープレート撮影カメラ９は車両ナンバー映像を撮影し、映像記録部４は車両ナンバー映像を記録する。画像管理部３は、車両ナンバー映像から車両ナンバー情報を読み取り、車両映像と車両ナンバー情報とを対応付けて管理する。また、画像管理部３は、複数の車両映像と複数の車両ナンバー情報とを対応付けて管理する際、時間順に管理する。これにより、時間予測により、目的の車両映像を探し易くすることが可能となる。
【００３４】
画像管理装置３は、対応付けられた車両映像と車両ナンバー情報を各出口料金所の検索装置７へ送信する。検索装置７は、対応付けられた車両映像と車両ナンバー情報を登録する。係員は、通行券紛失申告車両（検索車両）から検索車両ナンバー情報を読み取り、検索装置７（或いは端末装置８）に対して検索車両ナンバー情報を入力する。検索装置７は、係員入力操作に対応して検索車両ナンバー情報を入力し、登録されている複数の車両ナンバー情報の中から、入力された検索車両ナンバー情報を検索し、検索結果を表示する。例えば、検索車両の有無だけを表示するようにしてもよいし、検索車両が見つかった場合には検索車両の映像もあわせて表示するようにしてもよい。
【００３５】
或いは、画像管理装置３は、対応付けられた車両映像と車両ナンバー情報を各出口料金所の検索装置７へ送信せずに、検索車両の問い合わせを待つようにしてもよい。この場合も上記と同様に、係員は、通行券紛失申告車両（検索車両）から検索車両ナンバー情報を読み取り、検索装置７（或いは端末装置８）に対して検索車両ナンバー情報を入力する。検索装置７は、係員入力操作に対応して検索車両ナンバー情報を入力し、画像管理装置３に対して、入力された検索車両ナンバー情報を送信する。画像管理装置３は、送信された検索車両ナンバー情報を受信し、管理された複数の車両ナンバー情報の中から、受信した検索車両ナンバー情報を検索し、検索装置７に対して検索結果を送信する。検索装置７は、検索結果を受信し、検索結果を表示する。この場合も、検索車両の有無だけを表示するようにしてもよいし、検索車両が見つかった場合には検索車両の映像もあわせて表示するようにしてもよい。
【００３６】
また、上記説明では、車両映像を撮影するための車線撮影カメラ２と、車両ナンバー情報を撮影するためのナンバープレート撮影カメラ９とを別々に設けるケースについて説明したが、１台のカメラで取得された映像から車両映像及び車両ナンバー情報を抽出するようにしてもよい。
【００３７】
また、上記説明では、ナンバー検索について説明したが、ナンバー検索を導入しない場合に、検索装置７（或いは端末装置８）が、時間順に管理された複数の車両映像を一覧表示するようにしてもよい。出場時刻から、ある程度の入場時刻を予測することができ、この時間予測から単時間で目的の車両映像を検索することが可能となる。つまり、複数の車両映像を時間順に管理することにより、ナンバー認識、ナンバー検索を導入することなく（低コストにて）、目的の車両の映像の検索が可能となる。
【００３８】
以上により、通行券取り忘れ検出により自動的に記録されたアラーム記録から該当車両の記録映像の検索を容易化することにより、従来人間系で実施していた車両の照合確認作業を機械化するとともに照合作業時間を大幅に短縮化し、利用者の利便性を向上させることができる。
【００３９】
さらに、車両ナンバー情報により、該当車両の映像を一意的に検索し、車両の照合確認作業を機械化するとともに照合作業時間をさらに大幅に短縮化し、利用者の利便性を向上させることができる。
【００４０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４１】
【図１】本実施形態に係る車両監視システムの概略構成を示す図である。
【図２】本実施形態に係る車両監視システムによる車両監視の一例を示すフローチャートである。
【符号の説明】
【００４２】
１…通行券自動発行機、２…車線撮影カメラ、３…映像管理部、４…映像記録部、５、６…ＴＣＰ／ＩＰ接続部、７…検索装置、８…端末装置、９…ナンバープレート撮影カメラ、１１…入口車線、１２…出口車線
【図１】
2008243085.tif 000003
【図２】
2008243085.tif 000004